(57)【要約】【課題】  従来より浴槽内で使用する鏡付髭剃り用品入れ等は存在していたが、女性には日常的には使用するものではなく、又、ブックスタンドを浴槽に持ち込むものも有るがこれら鏡とブックスタンドを浴槽内で機能的且つ、簡単に繰り返し切替え使用が出来なく、特に女性には美容（例えば顔パック中）をしながら好きな本を読み、飲食して半身浴を楽しみながら時間的効率化と継続意欲を向上する１つの集約した持ち運びが便利で、簡単に設置できる道具が無かった。【解決手段】トレー上に鏡付ブックスタンド台を取り付け、且つ、美容及び髭剃り用品入れ凹部、コップ立て凹部、スナック等を入れる凹部、小型タオル入凹部等を設け、半身浴ををしながら鏡を使って美容及び髭剃りを行い、そして好みのサイズの本を読む場合本を設置したまま鏡面とブック面を簡単に繰り返し切替えが出来、自分の希望する傾斜角度に容易に可変できる構造の機能を兼ね備え、且つ、好きな物を飲んだりスナックのつまみ食いが出来るトレー。これらの事が一つのトレー上に集約されて浴室に持運び、設置が簡単に出来る鏡付ブックスタンドトレー。【選択図】          図１
2006095253.tif 000002
【特許請求の範囲】
【請求項１】
樹脂成型加工したトレー２上の台脚設置凹部４に台脚８を固定し，その台脚８に鏡付ブックスタンド台１０を回転止蝶ボルト９で両側面を挟持し鏡付ブックスタンド台１０の傾斜角度を自由に可変したり、鏡面とブック面を両方使える様に上下方向に１８０°回転を可能にし、且つ、本１５が落下しない様に固定出来る事を特徴とし、浴槽持ち込み可能にした鏡付ブックスタンドトレー１。
【請求項２】
鏡付ブックスタンド台ベース１０−１（図２）に於いて、基板挿入部２２の中央縦方向に本１５のサイズ高さに応じてブック上止可動部１１の固定ネジ１２を回転して固定ネジ先端部３０で固定する為の固定凹部２４を設け、さらに、基板挿入部２２にブック上止可動部１１の基板２７を設置後、押え板貼付部２３の２個所に基板押え板３１を固定して、ブック上止可動部１１の脱落防止を行い、本１５の一般サイズ（Ａ６判からＡ４判）の高さに合せ上下可動を容易にし、且つ、鏡付ブックスタンド台ベース１０−１の両側面中央に固定ナット２５を埋め込み固定し、次に下側のブック受台１３の２個所に山型のブック下止具１４を設けて完成した事を特徴とした前記請求項１記載の鏡付ブックスタンド台１０。
【請求項３】
樹脂成型加工したトレー２上に台脚設置凹部４、美容及び髭剃り用品入れ凹部５、飲料用コップ立て凹部６を、さらに、必要によってはスナック入れ皿受け凹部７及び手拭用の小型タオル入れ凹部３４を設けた事を特徴とし、一つのトレー上に請求項１の機能を含めて、これらの多機能内容を集約して浴槽に持運び及び設置が簡単に出来る請求項１記載のトレー２。
【請求項４】
樹脂成型加工したトレー２上に台脚８をトレー２と一体成型加工してなる事を特徴とした請求項１、３記載のトレー２。
【発明の詳細な説明】
【技術分野】
【０００１】  この発明は、現代人が気分転換による精神的リフレッシュと身体的リフレッシュを得る為に、半身浴を行う人が多くなってきた。そこで、この半身浴を女性も男性も楽しみながら継続意欲が向上する道具として浴槽持ち込み可能にした鏡付ブックスタンドトレーに関するものである。
【背景技術】
【０００２】  現代人は生活及び仕事からの精神的ストレス及び冷房による冷え性等からの身体的ストレスを解消する為に半身浴による心身共にリフレッシュする方法が勧められ多くの人達が取り入れる様に成って来たが、継続できている人が意外と少ない。そこで、楽しみながら、且つ、継続意欲がさらに向上できる道具として、女性は顔のマッサージ又は、美容の顔パック（マスク）等用の鏡、男性には顔マッサージは勿論の事、髭剃り用鏡を設け、そして、女性、男性それぞれ美容又は髭剃りの必要品をトレー上の用品入れ凹部に入れる事が出来、さらに美容中（例えば顔パック中）又は美容後及び髭剃り後ブックスタンドに簡単に切替え、好きな本を読書しながら半身浴をしてリラックスでき、又、半身浴中は脱水症状をなくす為、水分の補給が必要であり、トレー上のコップ立てのコップを利用して飲料出来る鏡付ブックスタンドトレーが有れば心身共にリフレッシュ出来ると共に時間的有効活用ができ、半身浴の希望する人たちに大きく貢献できる。しかし、従来の公開実用昭和５７−１１５３０７、公開実用昭和５９−９５９１９等は浴槽で髭剃り用品一式と鏡をセットしたものを考案したものであるが、単に髭剃り用の道具のみでは、その楽しみは半減するものである。しかも、特に女性には通常、毎日又は、頻繁に髭剃りを行なうものではない。【０００３】  又、実全昭４９−０３８３２１、実全昭４９−１３７８０３、実公昭３７−００３４２１、特開平８−５６７５７等がブックスタンドとして存在しているが、いずれも鏡と併用して使用する内容ではなく且つ、浴槽利用できる物ではない。特に実全昭４９−０３８３２１のブックスタンドの構造に摺動板を採用されているが、本の幅大きさを可変固定できないそして、これらは鏡と併用する為にブックスタンド台を１８０°回転できず、いずれも全く異質のものであり、半身浴と併用するには満足できる物ではない。【０００４】  次に実用新案登録第３０８０８１０号はブックスタンドとコップ立てを併用しているが同じく、鏡と併用する為にブックスタンド台を１８０°回転できる構造ではなく、半身浴と併用するには満足できる物ではない。
【発明の開示】
【発明が解決しようとする課題】
【０００５】  解決しようとする問題点は、従来より浴槽内で使用する鏡付髭剃り用品入れ等が存在しているが、特に女性は日常的に使用するものではなく、さらに、使用時間も短かい為半身浴をしながら楽しみを増やし、且つ、時間的効率化を行うには問題が有った。
最も大きい問題は半身浴をしながら精神的なリラックスをするには充分では無い物である
【課題を解決するための手段】
【０００６】  本発明は、上記の課題を解決する為に、樹脂成型加工したトレー上に鏡付ブックスタンド台を取り付け、女性はクリームで顔マッサージ又は美容の顔パック（マスク）等用鏡、男性は顔マッサージは勿論の事、髭剃り用鏡を使用し女性、男性それぞれ、美容又は髭剃り用品をトレー上の用品入れ凹部に入れる事が出来、さらに、美容中（例えば顔パック中）又は、美容後及び髭剃り後に鏡付ブックスタンド台を１８０°回転しても本が落下しない構造で、ブック面を表面にしてブックスタンドに設置した本を読みながら半身浴をして精神的、身体的リラックスできる本発明の浴槽持ち込み可能にした鏡付ブックスタンドトレーである。【０００７】  勿論、鏡付ブックスタンド台のブック面側から鏡面側に戻すには読書中の本を開いたまま、ブック上止可動部を固定ネジ先端部で締付固定後に鏡付ブックスタンド台の両側面の回転止蝶ボルトを緩めて１８０°回転して鏡面側を手前にして自分の希望する傾斜角度で回転止蝶ボルトを締付固定でき、何回でも鏡面側とブック面側を容易に繰返し使用できる構造の鏡付ブックスタンドトレー。【０００８】  又、半身浴中には脱水症状を防止する為に、一般的には水分補給が進められているので、トレー上のコップ立ての飲料コップを使う事ができる鏡付ブックスタンドトレーの構造さらに、リラックス気分の満足感を高める為に、必要によっては皿受け凹部にスナックを入れた皿を置いて利用できる鏡付ブックスタンドトレー。
【発明の効果】
【０００９】  本発明は半身浴をしながら美容用及び髭剃り用鏡を利用し、又、簡単に反転してブック面側に切替え、好みの本を読書する事が出来る事により、半身浴に於ける心身共にリラックスとダイエットが可能で、且つ、時間的有効活用ができる鏡付ブックスタンドトレーで、半身浴を楽しみながら継続意欲を高める発明品として社会的に要望が有る物である。【００１０】  さらに、鏡付ブックスタンドトレーに美容及び髭剃り用品入れ凹部、コップ立て凹部、皿受け凹部、小型タオル入れ凹部を設ける事により、半身浴をしながら美容及び髭剃りを容易にし飲料水等を飲む事により脱水症状を防止し、又、読書しながらスナックを摘み食いする事により、さらなる、満足感を得られる事が出来、これらの機能を１つのトレー上に集約する事により持運びが簡単で非常に満足のいく半身浴用の多機能トレーとして利用される。【００１１】  又、鏡付ブックスタンド台のブック上止可動部内に、最小高さサイズの本（一般的には文庫本Ａ６判）から最大高さサイズの本（一般的には雑誌サイズＡ４判）を収納出来る大きさにし、ブック上止可動部を上下可動する事により日常読むサイズの本を鏡付ブックスタンド台に設置可能で且つ、１８０°回転時にも本が落下させずに使用できる万能サイズブックスタンドを提供できるものである。【００１２】  図８の如く、浴槽蓋で浴槽の約１／２〜２／３程蓋をした状態で、その蓋の上に前記鏡付ブックスタンドトレーを簡単に置く事が出来、しかも、半身浴をしている状態で２／３程蓋をしている為、浴槽内に蒸気がこもって、更なるダイエット効果が可能である。【００１３】  以上、本発明は半身浴をしながら女性は顔マッサージ及び顔パック等の美容を、又、男性は髭剃りを行い、さらに、読書をしながら好みの飲料補給したり、スナックを摘み食いをし、精神的リラックスと身体的リラックスを行う事が出来るこれらの機能を１つのトレー上に集約し持運びが簡単で浴槽蓋の上に容易に設置できる鏡付ブックスタンドトレーとして社会的に求められる発明商品であると考える。
【発明を実施するための最良の形態】
【００１４】  本発明は半身浴を行いながら女性はクリームを使い顔マッサージ、顔パック（マスク）等を、男性は顔マッサージ、髭剃りを行う事が出来る鏡及びその用品入れを設け、そして好きな読書が楽しめ、且つ、脱水症状を無くし、満足感を得る為に飲料及びスナックのつまみ食い等が出来る多くの機能を１つのトレー上に集約して浴槽へ持運び及び設置が簡単に出来る鏡付ブックスタンドトレー。
【実施例】
【００１５】  以下、この発明の鏡付ブックスタンドトレーの構造と実施例を具体的に説明する。
図１は、鏡付ブックスタンドトレー１に読書を設置し、顔マッサージ用クリーム、クリーム拭取り綿、髭剃り器、髭剃り用クリーム、飲料コップ、及びスナック入皿等をそれぞれ置いた状態の斜視図である。【００１６】  次に図１、図２、図３、図４、及び図５、に基づき鏡付ブックスタンド台１０の構造及び機能を説明する。図２の如く、鏡付ブックスタンド台ベース１０−１を樹脂成型品で造り、その基板挿入部２２の中央縦方向に本１５のサイズ高さに応じて固定ネジ１２を回転して固定ネジ先端部３０でブック上止可動部１１を固定する為の固定凹部２４を数箇所に設けさらに基板挿入部２２にブック上止可動部１１の基板２７を設置後、押え板貼付部２３の２個所に基板押え板３１を固定しブック上止可動部１１の脱落防止を行い、且つ、本１５の高さに合せ上下可動を容易にする。《この場合、基板押え板３１の幅ｇはブック上止可動部１１が脱落しない様に押え板貼付部２３の幅ａより数ミリ大きくし、２枚の基板押え板３１間の間隔ｂ寸法は基板２７の幅Ｃより数ミリ小さくする。しかし、ブック上止可動部１１を上下可動させる為、両基板押え板３１の間隔ｂは可動部柱２９の幅ｄ寸法より数ミリ大きくする。又、図４のブック上止部２８のｆ長さは本１５の上側の字の無い所を固定する部分で通常は１０〜１５ミリに設定する、そして基板２７のｅ寸法はブック上止可動部１１が底面のブック受台１３に当たった時、通常最小サイズの本１５（Ａ６判）の高さより小さくする》次に鏡付ブックスタンド台ベース１０−１の両側面中央に固定ナット２５を埋め込み固定し、下側のブック受台１３の２個所に山型のブック下止具１４を設け完成した鏡付ブックスタンド台１０の構造。【００１７】  次に台脚８及び鏡付ブックスタンド台１０の取付け及び使用方法について説明する。
図６は台脚８の斜視図で底面に台脚固定穴３２、そして両側面に回転止蝶ボルト穴３３を設けたもので、図１の如く、この台脚８をトレー２上に固定する。（この場合、台脚８は個別部品として取り扱っているがトレー２と一体樹脂成型加工をする方法も出来る。）次に前記で完成した鏡付ブックスタンド台１０の両側面の固定ナット２５と台脚８の回転止蝶ボルト穴３３を合せ回転止蝶ボルト９で鏡付ブックスタンド台１０の両側面を固定する。その後、鏡付ブックスタンド台１０を希望する傾斜角度で止める時、及び上下１８０°回転して鏡面からブック面、又はブック面から鏡面に切り替える時は両側面の回転止蝶ボルト９を緩めて動かし要望の位置で締付固定する。【００１８】  次に鏡付ブックスタンドトレー１の取り扱い方法について説明する。
まず最初に、読みたい本を選び、その本を開けた状態で鏡付ブックスタンド台１０のブック上止可動部１１を最上部に上げてブック受台１３に載せ、且つ、本の背部分を基板押え板３１間の窪み部（基板押え板３１の厚み分だけ窪んでいる）ｂ間隔に嵌め込み最後に前記ブック上止可動部１１を下ろし本の上部をｆ長さに嵌め込み固定する。本１５ページを捲る場合は前記ブック上止可動部１１の固定ネジ先端部３０を基板２７の面より凹めてブック上止可動部１１を上に移動すればページが簡単に捲る事が出来る。そして図７トレー２上に美容及び髭剃り用品入れ凹部５、コップ立て凹部６、皿受け凹部７、小型タオル入れ凹部３４にそれぞれ必要及び好みに合せた物を入れて、鏡付ブックスタンドトレー１として浴室に運ぶ。【００１９】  最後に実使用する状態を説明する。
図８の如く浴槽３６の約１／２〜２／３を浴槽蓋３８で蓋をし、その上に前記で事前準備した鏡付ブックスタンドトレー１を置き準備が完了する。次に本人は半身浴をしながら例えば美容の顔マッサージをしたければ、ブック面が表向きにある場合、まず最初にブック上止可動部１１の固定ネジ先端部３０が固定凹部２４に嵌め込まれて本１５が固定されている事を確認して２個所の回転止蝶ボルト９を緩めて鏡付ブックスタンド台１０を上下いずれかに１８０°回転させ鏡２６を表向きにして、好みの傾斜角度で回転止蝶ボルト９を締付固定する。そして、鏡２６を使いトレー２上の顔マッサージクリーム１６で顔マッサージを行う。その後、本１５を読みたい時は回転止蝶ボルト９を緩めて同じく鏡付ブックスタンド台１０を上下いずれかに１８０°回転させ、ブック面を表向きにし好みの傾斜角度で回転止蝶ボルト９を締付固定する。この様にして好きな本１５を読みながら飲料コップ２０を使い好きな飲み物を飲み、時にはスナック入皿２１のスナックをつまみ食いが出来る一つに集約した多機能の鏡付ブックスタンドトレー１。勿論、この鏡付ブックスタンドトレー１の利用は浴槽の利用以外にリビングのテーブル、食卓、及び、机等の上で利用する事も出来る。
【産業上の利用可能性】
【００２０】  本発明は半身浴をしながら美容及び髭剃りを行い、そして好みの本を読み、且つ好きな飲み物を飲んだり、スナックのつまみ食いができる。これらの事が１つのトレー上に集約されて浴室に持運び、設置が簡単に出来る鏡付ブックスタンドトレー１は精神的リラックス及び身体的リラックスができ、非常に有効であり、さらに、半身浴を楽しみながら継続意欲が向上する物として社会的にも、産業的にも大いに喜ばれ利用される。
【図面の簡単な説明】
【００２１】
【図１】本発明の鏡付ブックスタンドトレーの斜視図
【図２】鏡付ブックスタンド台ベースの斜視図
【図３】ブック上止可動部の斜視図
【図４】図３のＸ−Ｙ部の断面図
【図５】基板押え板の斜視図
【図６】台脚の斜視図
【図７】トレー単体の斜視図
【図８】人が半身浴をしながら本発明の鏡付ブックスタンドトレーを利用している外観図
【符号の説明】
【００２２】  １．  本発明の鏡付ブックスタンドトレー
２．  トレー
３．  トレー取手
４．  台脚設置凹部
５．  美容及び髭剃り用品入れ凹部
６．  コップ立て凹部
７．  皿受け凹部
８．  台脚
９．  回転止蝶ボルト
１０．  鏡付ブックスタンド台
１０−１．鏡付ブックスタンド台ベース
１１．  ブック上止可動部
１２．  固定ネジ
１３．  ブック受台
１４．  ブック下止具
１５．  本
１６．  美容マッサージクリーム
１７．  クリーム拭取り綿
１８．  髭剃り器
１９．  髭剃り用クリーム
２０．  飲料コップ
２１．  スナック入皿
２２．  基板挿入部
２３．  押え板貼付部
２４．  固定凹部
２５．  固定ナット
２６．  裏面に貼り付けられた鏡
２７．  基板
２８．  ブック上止部
２９．  可動部柱
３０．  固定ネジ先端部
３１．  基板押え板
３２．  台脚固定穴
３３．  回転止蝶ボルト穴
３４．  小型タオル入れ凹部
３５．  人が半身浴をしながら本発明の鏡付ブックスタンドトレーを使用している外観図
３６．  浴槽
３７．  お湯
３８．  浴槽蓋
３９．  半身浴をしている人
ａ．  押え板貼付部の幅
ｂ．  基板押え板間の間隔
ｃ．  基板幅
ｄ．  可動部柱の幅
ｅ．  基板の長さ
ｆ．  本の上部を嵌め込む長さ
ｇ．  基板押え板の幅
【図１】
2006095253.tif 000003
【図２】
2006095253.tif 000004
【図３】
2006095253.tif 000005
【図４】
2006095253.tif 000006
【図５】
2006095253.tif 000007
【図６】
2006095253.tif 000008
【図７】
2006095253.tif 000009
【図８】
2006095253.tif 000010
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
トレー２上の台脚設置凹部４に台脚８を固定し、その台脚８に鏡付ブックスタンド台１０を回転止蝶ボルト９で両側面を挟持し鏡付ブックスタンド台１０の傾斜角度を自由に可変したり、鏡面とブック面を両方使える様に回転を可能にし、且つ、鏡付ブックスタンド台ベース１０−１中央部の基板挿入部２２にブック上止可動部１１をスライド自在に設置し、ブック上止可動部１１を上下可動して、本１５のサイズ高さに応じて本１５の落下防止と好みのサイズの本を固定できる構造を兼ね備えた鏡付ブックスタンド台１０付の浴槽持ち込みを可能にした鏡付ブックスタンドトレー。
【請求項２】
鏡付ブックスタンド台ベース１０−１に於いて、基板挿入部２２の中央縦方向に本１５のサイズ高さに応じてブック上止可動部１１の固定ネジ１２を回転して固定ネジ先端部３０で固定する為の固定凹部２４を設け、さらに、基板挿入部２２にブック上止可動部１１の基板２７を設置し、押え板貼付部２３の２個所にブック上止可動部１１の脱落防止用に基板押え板３１を固定して本１５のサイズの高さに合せ上下可動を容易にし、且つ、鏡付ブックスタンド台ベース１０−１の両側面中央に固定ナット２５を埋め込み固定し、下側のブック受台１３の２個所に山型のブック下止具１４を設けた事を特徴とした鏡付ブックスタンド台１０を備えた前記請求項１記載の鏡付ブックスタンドトレー。
【請求項３】
トレー２上に台脚設置凹部４、美容及び髭剃り用品入れ凹部５、飲料用コップ立て凹部６、さらに、スナック入れ皿受け凹部７及び手拭用の小型タオル入れ凹部３４を設け、浴槽に持運び及び設置可能な構成とした請求項１記載の鏡付ブックスタンドトレー。
【請求項４】
トレー２と台脚８とを一体成形加工してなる事を特徴とした請求項１又は３記載の鏡付ブックスタンドトレー。
【手続補正２】
【補正対象書類名】明細書
【補正対象項目名】０００２
【補正方法】変更
【補正の内容】
【０００２】  現代人は生活及び仕事からの精神的ストレス及び冷房による冷え性等からの身体的ストレスを解消する為に半身浴による心身共にリフレッシュする方法が勧められ多くの人達が取り入れる様に成って来たが、継続する人が意外と少ない。
そこで、楽しみながら、且つ、継続意欲がさらに向上できる道具として、女性は顔のマッサージ又は、美容の顔パック（マスク）等用の鏡、男性には顔マッサージは勿論の事、髭剃り用鏡を設け、そして、女性、男性それぞれ美容又は髭剃りの必要品をトレー上の用品入れ凹部に入れる事が出来、さらに美容中（例えば顔パック中）又は美容後及び髭剃り後の鏡面を、本を設置したままブック面に簡単に切替えができ、且つ、自分の好みの傾斜角度に容易に可変して好きなサイズの本を読書しながら半身浴をしてリラックスでき、又、半身浴中は脱水症状をなくす為、水分の補給が必要であり、トレー上のコップ立てのコップを利用して飲料出来る鏡付ブックスタンドトレーが有れば心身共にリフレッシュできると共に時間的有効活用ができ、半身浴の希望する人たちに大きく貢献できる。しかし、従来の公開実用  昭和５７−１１５３０７公開実用  昭和５９−９５９１９等は浴槽で髭剃り用品一式と鏡をセットしたものを考案したものであるが、単に髭剃り用の道具のみでは、その楽しみは半減するものである。しかも、特に女性には通常、毎日又は、頻繁に髭剃りを行なうものではない。
【手続補正３】
【補正対象書類名】明細書
【補正対象項目名】０００５
【補正方法】変更
【補正の内容】
【０００５】  解決しようとする問題点は、浴槽内で使用するブックスタンドと鏡及び髭剃り用品等の使用に於いて、本を設置したままブック面と鏡面を容易に簡単に繰り返し切替えができ、且つ、ブック面及び鏡面を自分の希望する傾斜角度に簡単に可変できる物が無く、浴槽内で半身浴をしながら読書及び鏡を見ながら美容マッサージ髭剃り等が出来る精神的にリラックスをする簡単な物が無かった。
【手続補正４】
【補正対象書類名】明細書
【補正対象項目名】０００６
【補正方法】変更
【補正の内容】
【０００６】  本発明は上記の課題を解決する為に、樹脂成形加工したトレー２上の台脚設置凹部４に台脚８を固定し、その台脚８に鏡付ブックスタンド台１０を回転止蝶ボルト９で両側面を挟持し鏡付ブックスタンド台１０の傾斜角度を自由に可変したり、鏡面とブック面を両方使える様に回転を可能にし、且つ、鏡付ブックスタンド台ベース１０−１中央部の基板挿入部２２にブック上止可動部１１をスライド自在に設置し、ブック上止可動部１１を上下可動して、本１５のサイズ高さに応じて本１５の落下防止と好みのサイズの本を固定できる構造を兼ね備えた鏡付ブックスタンド台１０付の浴槽持ち込みを可能にした鏡付ブックスタンドトレーの構造発明であり、例えば、女性はクリームで顔マッサージ又は美容の顔パック（マスク）等用鏡、男性は顔マッサージは勿論の事、髭剃り用鏡として使用し、女性、男性それぞれ美容又は髭剃り用品をトレー上の用品入れ凹部に入れる事が出来、さらに、美容中（例えば顔パック中）又は、美容後及び髭剃り後に鏡付ブックスタンド台を１８０°回転しても好みのサイズの本が落下しない構造で、且つ、人によって座高の高さが違う為、鏡付ブックスタンド台の角度を自分の希望する傾斜角度に簡単に可変できる構造の機能を持った鏡付ブックスタンド台を回転し、ブック面を表面にして本を読みながら半身浴を楽しみ精神的、身体的リラックスできる本発明の浴槽持ち込み可能にした鏡付ブックスタンドトレーである。
【手続補正５】
【補正対象書類名】明細書
【補正対象項目名】０００９
【補正方法】変更
【補正の内容】
【０００９】  本発明は半身浴をしながら美容用及び髭剃り用鏡を利用し、又、本を設置したまま簡単に反転してブック面側に切替え、且つ、鏡付ブックスタンド台の角度を自分の希望する傾斜角度に簡単に可変でき、好みのサイズの本を読書する事が出来る事により半身浴に於いて心身共にリラックスとダイエットが可能で、且つ、時間的有効活用ができる鏡付ブックスタンドトレーで、半身浴を楽しみながら継続意欲を高める発明品として社会的に要望が有る物である。
【手続補正６】
【補正対象書類名】明細書
【補正対象項目名】００１３
【補正方法】変更
【補正の内容】
【００１３】  以上、本発明は半身浴をしながら女性は顔マッサージ及び顔パック等の美容を又、男性は髭剃りを行う為の鏡面と読書する為のブック面を設け、本を設置したまま鏡面とブック面とを容易に繰り返し切替えができ且つ、その鏡面及びブック面の傾斜角度を自分の好みに簡単に可変できる構造の機能を兼ね備え、さらに、読書をしながら好みの飲料補給をしたり、スナックを摘み食いをし、精神的リラックスと身体的リラックスを行う事が出来るこれらの機能を１つのトレー上に集約し持運びが簡単で浴槽蓋の上に容易に設置できる鏡付ブックスタンドトレーとして社会的に求められる発明商品であると考える。
【手続補正７】
【補正対象書類名】明細書
【補正対象項目名】００１４
【補正方法】変更
【補正の内容】
【００１４】  本発明は半身浴を行いながら女性はクリームを使い顔マッサージ、顔パック（マスク）等を、男性は顔マッサージ、髭剃りを行う事が出来る鏡及びその用品入れを設け、そして好きな読書が楽しめる様に好みのサイズの本を設置したまま鏡面とブック面とを容易に繰り返し切替えができ且つ、その鏡面とブック面の傾斜角度を自分の好みに簡単に可変できる構造の機能を兼ね備え、且つ、脱水症状を無くし満足感を得る為に飲料及びスナックのつまみ食い等が出来る多くの機能を１つのトレー上に集約して浴槽へ持運び及び設置が簡単に出来る鏡付ブックスタンドトレー。
【手続補正８】
【補正対象書類名】明細書
【補正対象項目名】００２０
【補正方法】変更
【補正の内容】
【００２０】  本発明は好みのサイズの本を設置したまま本の落下を防止させ、鏡面とブック面を簡単に繰り返し切替えができ、且つ、鏡付ブックスタンド台の角度を自分の希望する傾斜角度に容易に可変できる構造による機能を兼ね備え、半身浴をしながら美容及び髭剃りを行い、そして好みの本を読み、且つ、好きな飲み物を飲んだり、スナックのつまみ食いができる。これらの事が１つのトレー上に集約されて浴室に持運び、設置か簡単に出来る鏡付ブックスタンドトレーは精神的リラックス及び身体的リラックスができ、非常に有効であり、さらに、半身浴を楽しみながら継続意欲が向上する物として社会的にも、産業的にも大いに喜ばれ利用される。